(57)【特許請求の範囲】
【請求項１】
建物の最上階の床に形成された開口部を貫通するように互いに直列に配置された複数の昇降路枠によって、昇降路が形成されるエレベーターの昇降路据付装置であって、
上記床に設けられたレールと、
上記レールに案内され、上記開口部の上方位置及び上記床の上方位置の間を走行する走行クレーンと、
を備え、
上記走行クレーンは、
上記レールに車輪を介して案内される脚部と、
上記脚部の頂部に設けられ、水平投影面において、その中央に上記昇降路枠の水平投影面形状よりも広い開口を有するロ字状の吊持梁と、
上記吊持梁に装着された滑車と、
上記脚部に装備され、上記滑車に巻掛けられた条体により上げ下げ機能を達成するとともに、上記吊持梁の開口を介して、上記昇降路枠の一部を上記吊持梁の下面高さよりも上方位置に配置可能な巻上げ機と、
を備え、
上記吊持梁は、ロ字状の一部が着脱可能に締結されるとともに、上記一部が取り外されることにより、水平投影面において、上記床の上方位置から上記開口部の上方位置に移動する時の前方側に、上記昇降路枠の幅よりも大きな開口が形成されることを特徴とするエレベーターの昇降路据付装置。
【請求項２】
建物の最上階の床に形成された開口部を貫通するように互いに直列に配置された複数の昇降路枠によって、昇降路が形成されるエレベーターの昇降路据付装置であって、
上記床に設けられたレールと、
上記レールに案内され、上記開口部の上方位置及び上記床の上方位置の間を走行する走行クレーンと、
を備え、
上記走行クレーンは、
上記レールに車輪を介して案内される脚部と、
上記脚部の頂部に設けられ、水平投影面において、その中央に上記昇降路枠の水平投影面形状よりも広い開口を有し、且つ、上記床の上方位置から上記開口部の上方位置に移動する時の前方側に、上記昇降路枠の幅よりも大きな開口が形成されたコ字状の吊持梁と、
上記吊持梁に装着された滑車と、
上記脚部に装備され、上記滑車に巻掛けられた条体により上げ下げ機能を達成するとともに、上記吊持梁の開口を介して、上記昇降路枠の一部を上記吊持梁の下面高さよりも上方位置に配置可能な巻上げ機と、
を備えたことを特徴とするエレベーターの昇降路据付装置。
【発明の詳細な説明】
【０００１】
【発明の属する技術分野】
この発明は、建物の最上階床に設けられた開口部から昇降路枠が搬入されて据付けられるエレベーターの昇降路据付装置に関する。
【０００２】
【従来の技術】
図９は、例えば特開平６−１８３６６６号公報に示された構成に類似した従来のエレベーターの昇降路据付装置を示す縦断面図である。図において、１は建物、２は建物１の一階、すなわち最下階床、３は最下階床２から凹設されたピット、４は建物１の二階、すなわち最上階床、５は最上階の天井、６は最上階床４にピット３に対応して設けられた開口部である。
【０００３】
７は開口部６に貫通状態に設けられた昇降路で、鋼材が枠状に立体的に組立てられた複数の昇降路枠からなり、ピット３に配置される下部昇降路枠８、乗場９及び補強１０が設けられて下部昇降路枠８の上に配置される一階乗場昇降路枠１１、一階乗場昇降路枠１１の上に配置される中間下部昇降路枠１２、中間下部昇降路枠１２の上に配置される中間上部昇降路枠１３、乗場９及び補強１０が設けられて中間上部昇降路枠１３上に配置される二階乗場昇降路枠１４並びに二階乗場昇降路枠１４の上に配置される上部昇降路枠１５によって構成されている。
【０００４】
１６は昇降路７の外壁板、１７は昇降路７の所定経路を昇降するかご、１８は最上階床４に立設されて開口部６の四隅の縁部にそれぞれ配置された柱、１９は吊持レールで、開口部６の上方に開口部６を横切って配置され、一方の端部が開口部６縁部の最上階床４の上方に延長されている。２０は吊持レール１９の長手に直交して配置された支持梁で、両端が柱１８の上端面にそれぞれ連結され、中間の下面に吊持レール１９が固定されている。
【０００５】
２１は吊持レール１９を掛合されて走行する電動ホイストで、棒状の吊り上げ具２２が設けられている。また、図９における寸法Ａは最上階床４から天井５までの高さ、寸法Ｂは吊り上げられる物体の高さ、寸法Ｃは電動ホイスト２１及び吊り上げ具２２により最上位置に吊り上げられた物体の上面から天井５までの距離、寸法Ｄは最上階床４から最上位置に吊り上げられた物体下面までの距離である。
【０００６】
従来のエレベーターの昇降路据付装置は上記のように構成され、吊持レール１９の延長端の下方の最上階床４に、下部昇降路枠８が仮置きされて電動ホイスト２１によって吊り上げられる。次いで、電動ホイスト２１が開口部６位置に移動して下部昇降路枠８がピット３に降ろされて据付られる。
【０００７】
以下、同様な作業によって下部昇降路枠８の上に、一階乗場昇降路枠１１が据付けられる。そしてその上に中間下部昇降路枠１２が据付けられ、その上に同様な作業工程によって順次、中間上部昇降路枠１３、二階乗場昇降路枠１４、上部昇降路枠１５が据付けられる。
【０００８】
【発明が解決しようとする課題】
上記のような従来のエレベーターの昇降路据付装置では、据付けられた二階乗場昇降路枠１４の最上階床４からの高さの数値に、上部昇降路枠１５の寸法Ｂ及び図９に示す寸法Ｃを加えた数値が、図９に示す寸法Ａよりも大きい場合には、電動ホイスト２１を使用した上部昇降路枠１５の据付けができなくなるという問題点があった。
【０００９】
なお、上部昇降路枠１５が電動ホイスト２１により据付け位置へ移動不能のときには吊持レール１９、電動ホイスト２１等を撤去した後に人力によって上部昇降路枠１５が、据付けられた二階乗場昇降路枠１４の上に移動される。また、最上階の天井５に開口部を設けて、この開口部を介して外部クレーン（図示しない）による昇降路７の据付け作業が行われる。したがって、これらの作業により昇降路７を据付けるときには、煩雑であって長時間の作業を要することになる。
【００１０】
この発明は、かかる問題点を解消するためになされたものであり、エレベーターが設置される建物の最上階床から天井までの高さ有効に利用し、複数の昇降路枠からなる昇降路を容易に据付けできるエレベーターの昇降路据付装置を得ることを目的とする。
【００１１】
【課題を解決するための手段】
この発明に係るエレベーターの昇降路据付装置においては、建物の最上階の床に形成された開口部を貫通するように互いに直列に配置された複数の昇降路枠によって、昇降路が形成されるエレベーターの昇降路据付装置であって、床に設けられたレールと、レールに案内され、開口部の上方位置及び床の上方位置の間を走行する走行クレーンと、を備え、走行クレーンは、レールに車輪を介して案内される脚部と、脚部の頂部に設けられ、水平投影面において、その中央に昇降路枠の水平投影面形状よりも広い開口を有するロ字状の吊持梁と、吊持梁に装着された滑車と、脚部に装備され、滑車に巻掛けられた条体により上げ下げ機能を達成するとともに、吊持梁の開口を介して、昇降路枠の一部を吊持梁の下面高さよりも上方位置に配置可能な巻上げ機と、を備え、吊持梁は、ロ字状の一部が着脱可能に締結されるとともに、一部が取り外されることにより、水平投影面において、床の上方位置から開口部の上方位置に移動する時の前方側に、昇降路枠の幅よりも大きな開口が形成される。
【００１２】
また、この発明に係るエレベーターの昇降路据付装置においては、建物の最上階の床に形成された開口部を貫通するように互いに直列に配置された複数の昇降路枠によって、昇降路が形成されるエレベーターの昇降路据付装置であって、床に設けられたレールと、レールに案内され、開口部の上方位置及び床の上方位置の間を走行する走行クレーンと、を備え、走行クレーンは、レールに車輪を介して案内される脚部と、脚部の頂部に設けられ、水平投影面において、その中央に昇降路枠の水平投影面形状よりも広い開口を有し、且つ、床の上方位置から開口部の上方位置に移動する時の前方側に、昇降路枠の幅よりも大きな開口が形成されたコ字状の吊持梁と、吊持梁に装着された滑車と、脚部に装備され、滑車に巻掛けられた条体により上げ下げ機能を達成するとともに、吊持梁の開口を介して、昇降路枠の一部を吊持梁の下面高さよりも上方位置に配置可能な巻上げ機と、が設けられる。
【００１５】
【発明の実施の形態】
実施の形態１．
図１及び図２は、この発明の実施の形態の一例を示す図で、図１はエレベーターの昇降路据付装置を示す縦断面図、図２は図１の要部平面図である。図において、１は建物、２は建物１の一階、すなわち最下階床、３は最下階床２から凹設されたピット、４は建物１の二階、すなわち最上階床、５は最上階の天井、６は最上階床４にピット３に対応して設けられた開口部である。
【００１６】
７は開口部６に貫通状態に設けられた昇降路で、鋼材が枠状に立体的に組立てられた複数の昇降路枠からなり、ピット３に配置される下部昇降路枠８、乗場９及び補強１０が設けられて下部昇降路枠８の上に配置される一階乗場昇降路枠１１、一階乗場昇降路枠１１の上に配置される中間下部昇降路枠１２、中間下部昇降路枠１２の上に配置される中間上部昇降路枠１３、乗場９及び補強１０が設けられて中間上部昇降路枠１３上に配置される二階乗場昇降路枠１４並びに二階乗場昇降路枠１４の上に配置される上部昇降路枠１５によって構成されている。
【００１７】
１６は昇降路７の外壁板、１７は昇降路７の所定経路を昇降するかご、２３はレールで、最上階床４における開口部６の互いに対向した縁部にそれぞれ設けられて互いに並行に配置されて、開口部６縁部に沿って設けられると共に端部が開口部６に隣接した最上階床４上に延長されている。２４はレール２３の両端部にそれぞれ装着された阻止片である。
【００１８】
２５は門形クレーンからなる走行クレーンで、車輪２６によってレール２３に案内される脚部２７、脚部２７の頂部を結んで架設された吊持梁２８、吊持梁２８に枢着された滑車２９、脚部２７に装備されて滑車２９に巻掛けられた条体３０により上げ下げ機能を達成する巻上げ機３１によって構成されている。
【００１９】
３２は吊り上げられる物体の底面に固定されてワイヤが条体３０先端の鉤（図示しない）に係止される吊り上げ具である。また、図１における寸法Ａは最上階床４から天井５までの高さ、寸法Ｂは吊り上げられる物体の高さ、寸法Ｃは走行クレーン２５によって最上位置に吊り上げられた物体の上面から天井５までの距離、寸法Ｄは最上階床４から最上位置に吊り上げられた物体下面までの距離である。
【００２０】
上記のように構成されたエレベーターの昇降路据付装置において、走行クレーン２５が図１に実線で示す最上階床４側位置に配置され、この走行クレーン２５位置に対応した最上階床４に下部昇降路枠８が仮置きされる。そして、吊り上げ具３２を介して条体３０、滑車２９及び巻上げ機３１、すなわち走行クレーン２５によって仮置きされた下部昇降路枠８が吊り上げられる。次いで、作業員が走行クレーン２５を押して開口部６位置に移動し、下部昇降路枠８がピット３に降ろされて据付られる。
【００２１】
以下、同様な作業によって下部昇降路枠８の上に、一階乗場昇降路枠１１が据付けられる。そしてその上に中間下部昇降路枠１２が据付けられ、さらにその上に同様な作業工程によって順次、中間上部昇降路枠１３、二階乗場昇降路枠１４、上部昇降路枠１５が据付けられる。
【００２２】
このような据付工程において、最上階床４側位置から開口部６位置へ走行クレーン２５によって昇降路枠を移動するときの図１に示す寸法Ｃが、前述の図９における寸法Ｃよりも小さくなる。したがって、据付けられた二階乗場昇降路枠１４の最上階床４からの高さが、最上階床４から天井５までの高さ寸法Ａに対して、Ａ−（Ｂ＋Ｃ）まで許容される。
【００２３】
このため、同じ天井５高さ寸法Ａに対して、据付けられた二階乗場昇降路枠１４の最上階床４からの高さが、前述の図９に示す場合よりも高いときであっても、走行クレーン２５によって上部昇降路枠１５を据付けられた二階乗場昇降路枠１４の上に据付けることができる。このように、エレベーターが設置される建物１の最上階床４から天井５までの高さを有効に利用することができ、複数の昇降路枠からなる昇降路７を容易に据付けることができ、据付費を低減することができる。
【００２４】
実施の形態２．
図３及び図４は、この発明の他の実施の形態の一例を示す図で、図３はエレベーターの昇降路据付装置を示す縦断面図、図４は図３の要部平面図である。図において、前述の図１及び図２と同符号は相当部分を示し、３２は吊り上げられる物体の底面に固定されて条体３０先端の鉤に係止される吊り上げ具である。
【００２５】
３３は走行クレーンで、開口部６の四隅対応位置にそれぞれ配置れた支持柱が設けられ車輪２６によってレール２３に案内される脚部３４、脚部３４の上端を結んでロ字状に形成されて脚部３４に固定された吊持梁３５、吊持梁３５に枢着された滑車２９、脚部３４に装備されて滑車２９に巻掛けられた条体３０により上げ下げ機能を達成する巻上げ機３１によって構成されている。
【００２６】
上記のように構成されたエレベーターの昇降路据付装置において、走行クレーン３３が図３に実線で示す最上階床４側位置に配置され、この走行クレーン３３位置に対応した最上階床４に下部昇降路枠８が仮置きされる。そして、吊り上げ具３２を介して条体３０、滑車２９及び巻上げ機３１、すなわち走行クレーン３３によって仮置きされた下部昇降路枠８が吊り上げられる。次いで、作業員が走行クレーン３３を押して開口部６位置に移動して、下部昇降路枠８がピット３に降ろされて据付られる。
【００２７】
以下、前述の図１及び図２の実施の形態における作業と同じ要領によって、複数の昇降路枠が順次据付けられて昇降路７が組立てられる。そして、走行クレーン３３によって昇降路枠を最上階床４側位置から開口部６位置へ移動するときの図３に示す寸法Ｃが、前述の図９における寸法Ｃよりも小さくなる。したがって、詳細な説明を省略するが図３及び図４の実施の形態においても図１及び図２の実施の形態と同様な作用が得られる。
【００２８】
また、図３及び図４の実施の形態において、吊持梁３５が水平投影面においてロ字状に形成され、かつロ字に昇降路枠の水平投影面形状よりも広い開口部が形成される。このため、吊り上げられた昇降路枠の上部を吊持梁３５のロ字部内に上昇させることができる。
【００２９】
したがって、走行クレーン３３によって最上位置に吊り上げられた物体の上面から天井５までの距離、すなわち寸法Ｃをさらに短縮できる。これにより、エレベーターが設置される建物１の最上階床４から天井５までの高さを、さらに有効に利用して、複数の昇降路枠からなる昇降路７を容易に据付けることができ、据付費を低減することができる。
【００３０】
実施の形態３．
図５及び図６も、この発明の他の実施の形態の一例を示す図で、図５はエレベーターの昇降路据付装置を示す縦断面図、図６は図５の要部平面図である。図において、前述の図１及び図２と同符号は相当部分を示し、３２は吊り上げられる物体の底面に固定されて条体３０先端の鉤に係止される吊り上げ具である。
【００３１】
３６は走行クレーンで、開口部６の四隅対応位置にそれぞれ配置れた支持柱が設けられ車輪２６によってレール２３に案内される脚部３４、脚部３４の上端を結んでロ字状に形成されて脚部３４に固定された吊持梁３７、吊持梁３７のロ字を形成する部材であってレール２３の長手に直交した部位に配置されてロ字に対して着脱自在に締結された着脱梁３８、吊持梁３７に枢着された滑車２９、脚部３４に装備されて滑車２９に巻掛けられた条体３０により上げ下げ機能を達成する巻上げ機３１によって構成されている。
【００３２】
上記のように構成されたエレベーターの昇降路据付装置において、走行クレーン３６が図５に実線で示す最上階床４側位置に配置され、この走行クレーン３６位置に対応した最上階床４に下部昇降路枠８が仮置きされる。そして、吊り上げ具３２を介して条体３０、滑車２９及び巻上げ機３１、すなわち走行クレーン３６によって仮置きされた下部昇降路枠８が吊り上げられる。次いで、作業員が走行クレーン３６を押して開口部６位置に移動して、下部昇降路枠８がピット３に降ろされて据付られる。
【００３３】
以下、前述の図１及び図２の実施の形態における作業と同じ要領によって、複数の昇降路枠が順次据付けられて昇降路７が組立てられる。そして、走行クレーン３６によって昇降路枠を最上階床４側位置から開口部６位置へ移動するときの図５に示す寸法Ｃが、前述の図９における寸法Ｃよりも小さくなる。したがって、詳細な説明を省略するが図５及び図６の実施の形態においても図１及び図２の実施の形態と同様な作用が得られる。
【００３４】
また、図５及び図６の実施の形態において、吊持梁３５のロ字を形成する部材に着脱梁３８が設けられる。このため、最上階床４に仮置きされた二階乗場昇降路枠１４及び上部昇降路枠１５、すなわち昇降路枠に対して、走行クレーン３６を図５に鎖線で示す位置から、実線で示す位置に移動するときに移動先頭側の着脱梁３８を取り外す。これによって、最上階床４に仮置きされた昇降路枠の高さに対して走行クレーン３６の高さが低い場合であっても、昇降路枠を吊り上げることができる。
【００３５】
また、据付け終了した昇降路７の上端よりも走行クレーン３６の高さが低い場合、走行クレーン３６を開口部６位置から最上階床４側位置に移動するときに、移動後尾側の着脱梁３８を取り外すことによって、走行クレーン３６を最上階床４側位置に移動することができる。したがって、複数の昇降路枠からなる昇降路７を容易に据付けることができ、据付費を低減することができる。
【００３６】
実施の形態４．
図７及び図８も、この発明の他の実施の形態の一例を示す図で、図７はエレベーターの昇降路据付装置を示す縦断面図、図８は図７の要部平面図である。図において、前述の図１及び図２と同符号は相当部分を示し、３２は吊り上げられる物体の底面に固定されて条体３０先端の鉤に係止される吊り上げ具である。
【００３７】
３９は走行クレーンで、開口部６の四隅対応位置にそれぞれ配置れた支持柱が設けられ車輪２６によってレール２３に案内される脚部３４、脚部３４の上端を結んで後述するコ字状に形成されて脚部３４に固定された吊持梁４０、吊持梁４０に枢着された滑車２９、脚部３４に装備されて滑車２９に巻掛けられた条体３０により上げ下げ機能を達成する巻上げ機３１によって構成されている。
【００３８】
上記のように構成されたエレベーターの昇降路据付装置において、吊持梁４０のコ字は、走行クレーン３９が図７に実線で示す最上階床４側位置に配置された状態で開口部４側が開放された形態に構成される。そして、走行クレーン３９が最上階床４側位置に配置され、この走行クレーン３９位置に対応した最上階床４に下部昇降路枠８が仮置きされる。
【００３９】
そして、吊り上げ具３２を介して条体３０、滑車２９及び巻上げ機３１、すなわち走行クレーン３９によって仮置きされた下部昇降路枠８が吊り上げられる。次いで、作業員が走行クレーン３９を押して開口部６位置に移動し、下部昇降路枠８がピット３に降ろされて据付られる。
【００４０】
以下、前述の図１及び図２の実施の形態における作業と同じ要領によって、複数の昇降路枠が順次据付けられて昇降路７が組立てられる。そして、走行クレーン３９によって昇降路枠を最上階床４から開口部６へ移動するときの図７に示す寸法Ｃが、前述の図９における寸法Ｃよりも小さくなる。したがって、詳細な説明を省略するが図７及び図８の実施の形態においても図１及び図２の実施の形態と同様な作用が得られる。
【００４１】
また、図７及び図８の実施の形態において、吊持梁４０がコ字状に、すなわち走行クレーン３９自体が水平投影面においてコ字状に形成されて、最上階床４側位置に配置された状態で開口部４側が開放される。これによって、据付け終了した昇降路７の上端よりも走行クレーン３９の高さが低い場合であっても、走行クレーン３９を開口部６位置から最上階床４位置に移動することができる。したがって、複数の昇降路枠からなる昇降路７を容易に据付けることができ、据付費を低減することができる。
【００４２】
【発明の効果】
この発明は以上説明したように、建物の最上階の床に形成された開口部を貫通するように互いに直列に配置された複数の昇降路枠によって、昇降路が形成されるエレベーターの昇降路据付装置であって、床に設けられたレールと、レールに案内され、開口部の上方位置及び床の上方位置の間を走行する走行クレーンと、を備え、走行クレーンは、レールに車輪を介して案内される脚部と、脚部の頂部に設けられ、水平投影面において、その中央に昇降路枠の水平投影面形状よりも広い開口を有するロ字状の吊持梁と、吊持梁に装着された滑車と、脚部に装備され、滑車に巻掛けられた条体により上げ下げ機能を達成するとともに、吊持梁の開口を介して、昇降路枠の一部を吊持梁の下面高さよりも上方位置に配置可能な巻上げ機と、を備え、吊持梁は、ロ字状の一部が着脱可能に締結されるとともに、一部が取り外されることにより、水平投影面において、床の上方位置から開口部の上方位置に移動する時の前方側に、昇降路枠の幅よりも大きな開口が形成されたものである。
【００４７】
これによって、ロ字状の吊持梁の開口部内に昇降路枠の上部を上昇させることができ、走行クレーンにより昇降路枠を最上階床側位置から開口部位置へ移動するときの、走行クレーンによって最上位置に吊り上げられた昇降路枠の上面から最上階天井までの距離を短縮することができる。したがって、最上階の同じ天井高さ寸法に対して、据付けられた最上階乗場昇降路枠の最上階床からの高さが高くても、走行クレーンによって据付けられた最上階乗場昇降路枠の上に上部昇降路枠を据付けることができる。これにより、エレベーターが設置される建物の最上階床から天井までの高さを有効に利用し、複数の昇降路枠からなる昇降路を容易に据付けることができ、据付費を低減する効果がある。
【００４８】
また、吊持梁を形成する部材に着脱梁が設けられるので、吊持梁のロ字内に昇降路枠が配置された状態で走行クレーンを移動する場合に、走行障害となる着脱梁を撤去して走行クレーンを容易に移動することができる。このため、昇降路枠の移動が容易にでき、複数の昇降路枠からなる昇降路を容易に据付けることができ、据付費を低減する効果がある。
【００４９】
また、この発明は以上説明したように、建物の最上階の床に形成された開口部を貫通するように互いに直列に配置された複数の昇降路枠によって、昇降路が形成されるエレベーターの昇降路据付装置であって、床に設けられたレールと、レールに案内され、開口部の上方位置及び床の上方位置の間を走行する走行クレーンと、を備え、走行クレーンは、レールに車輪を介して案内される脚部と、脚部の頂部に設けられ、水平投影面において、その中央に昇降路枠の水平投影面形状よりも広い開口を有し、且つ、床の上方位置から開口部の上方位置に移動する時の前方側に、昇降路枠の幅よりも大きな開口が形成されたコ字状の吊持梁と、吊持梁に装着された滑車と、脚部に装備され、滑車に巻掛けられた条体により上げ下げ機能を達成するとともに、吊持梁の開口を介して、昇降路枠の一部を吊持梁の下面高さよりも上方位置に配置可能な巻上げ機と、を設けたものである。
【００５０】
これによって、コ字状の吊持梁の開口部内に昇降路枠の上部を上昇させることができ、走行クレーンにより昇降路枠を最上階床側位置から開口部位置へ移動するときの、走行クレーンによって最上位置に吊り上げられた昇降路枠の上面から最上階天井までの距離を短縮することができる。したがって、最上階の同じ天井高さ寸法に対して、据付けられた最上階乗場昇降路枠の最上階床からの高さが高くても、走行クレーンによって据付けられた最上階乗場昇降路枠の上に上部昇降路枠を据付けることができる。これにより、エレベーターが設置される建物の最上階床から天井までの高さを有効に利用し、複数の昇降路枠からなる昇降路を容易に据付けることができ、据付費を低減する効果がある。
【００５１】
また、吊持梁の一側が開放されるので、吊持梁のコ字内に昇降路枠が配置された状態で走行クレーンを移動する場合に、吊持梁の反開放側へ移動するときには走行クレーンを容易に移動することができる。このため、走行クレーンを開口部位置から最上階床側位置に容易に移動することができ、複数の昇降路枠からなる昇降路を容易に据付けることができて、据付費を低減する効果がある。
【図面の簡単な説明】
【図１】  この発明の実施の形態１を示す図で、エレベーターの昇降路据付装置を示す縦断面図。
【図２】  図１の要部平面図。
【図３】  この発明の実施の形態２を示す図で、エレベーターの昇降路据付装置を示す縦断面図。
【図４】  図３の要部平面図。
【図５】  この発明の実施の形態３を示す図で、エレベーターの昇降路据付装置を示す縦断面図。
【図６】  図５の要部平面図。
【図７】  この発明の実施の形態４を示す図で、エレベーターの昇降路据付装置を示す縦断面図。
【図８】  図７の要部平面図。
【図９】  従来のエレベーターの昇降路据付装置を示す縦断面図。
【符号の説明】
１  建物、４  最上階床、６  開口部、７  昇降路、８  下部昇降路枠、１１一階乗場昇降路枠、  １２  中間下部昇降路枠、１３  中間上部昇降路枠、１４  二階乗場昇降路枠、１５  上部昇降路枠、２３  レール、２５  走行クレーン、２６  車輪、２７  脚部、２８  吊持梁、２９  滑車、３０  条体、３１  巻上げ機、３３  走行クレーン、３４  脚部、３５  吊持梁、３６  走行クレーン、３７  吊持梁、３８  着脱梁、３９  走行クレーン、４０  吊持梁。
【図１】
0004265831.tif 000002
【図２】
0004265831.tif 000003
【図３】
0004265831.tif 000004
【図４】
0004265831.tif 000005
【図５】
0004265831.tif 000006
【図６】
0004265831.tif 000007
【図７】
0004265831.tif 000008
【図８】
0004265831.tif 000009
【図９】
0004265831.tif 000010